【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
高感度記録面に書き込まれるパターンの角を調整する為の方法において：
前記パターンの画像に対しデータファイルをラスタライズすることによりグレースケールのピクセル・マップを生成するステップであって、前記ピクセル・マップは、０から整数Nの間の対応グレースケール値を有するピクセル・アレイを備える、前記ステップと；
前記グレースケールのピクセル・マップ内の対応ピクセルのグレースケール値に依存して、０か１のブーリアン値を有するピクセル・アレイを備えるブーリアン型ピクセル・マップを生成するステップと；
角に対応するピクセル用テンプレートに、角型ピクセルに対応するピクセル及び囲んでいるピクセルを含む前記ブーリアン型マップ内のピクセル・アレイを比較することにより、前記グレースケールのピクセル・マップ内で角型ピクセルを検出するステップと；
角型ピクセルと、角型ピクセルに隣接するピクセルのうち少なくとも一つのグレースケール値を調整するステップと；
を備える、前記方法。
【請求項２】
角形ピクセルと、角形ピクセルに隣接するピクセルのうち少なくとも一つのグレースケール値を調整するステップは、前記当初のグレースケール・バッファにおいてグレースケール値を修正することなく、前記補正バッファ内のグレースケール値を修正する工程を備える、請求項１に記載の方法。
【請求項３】
角形ピクセルと、角形ピクセルに隣接するピクセルのうち少なくとも一つのグレースケール値を調整するステップは：
当初のグレースケール・バッファ内の凸状角形ピクセルのグレースケール値と、第１補正係数との和を計算する工程と；
前記計算された和が最大グレースケール値以下である場合、前記凸状角形ピクセルに対応する前記補正バッファ内のピクセルのグレースケール値を、前記第１補正係数だけ増加する工程と；
を備える、請求項２に記載の方法。
【請求項４】
角形ピクセルと、角形ピクセルに隣接するピクセルのうち少なくとも一つのグレースケール値を調整するステップは：
前記計算された和が前記最大のグレースケール値を超える場合、前記凸状角形ピクセルに対応するピクセルに隣接する前記補正バッファ内の１以上のピクセルのグレースケール値を増加するステップを更に備える、請求項３に記載の方法。
【請求項５】
前記計算された和が前記最大のグレースケール値を超える場合、前記凸状角形ピクセルに対応するピクセルに隣接する前記補正バッファ内の１以上のピクセルのグレースケール値を増加するステップは、前記凸状角に対応するピクセルから、斜め外側の１以上のピクセルのグレースケール値を、前記計算された
和が前記最大のグレースケール値を超える量だけ、増加する工程を備える、請求項４
に記載の方法。
【請求項６】
角形ピクセルと、角形ピクセルに隣接するピクセルのうち少なくとも一つのグレースケール値を調整するステップは：
前記当初のグレースケール・バッファ内の凹状角のグレースケール値から、第２補正係数を減算することにより、差の値を計算する工程と；
計算された差が最小のグレースケール値以下である場合、前記補正バッファ内の前記凹状角に対応するピクセルのグレースケール値から、第２補正係数だけ減少させる工程と；
を備える、請求項３に記載の方法。
【請求項７】
角形ピクセルと、角形ピクセルに隣接するピクセルのうち少なくとも一つのグレースケール値を調整するステップは：
前記計算された差が前記最小のグレースケール値未満である場合、前記凹状角に対応するピクセルに隣接する前記補正バッファ内の１以上のピクセルのグレースケール値を減少させる工程を更に備える、請求項６に記載の方法。
【請求項８】
前記第１補正値および第２補正値は、独立して調整可能である、請求項７に記載の方法。
【請求項９】
高感度記録面に書き込まれるパターンの角を調整する為の方法において：
前記パターンの画像に対しデータファイルをラスタライズすることによりグレースケールのピクセル・マップを生成するステップであって、前記ピクセル・マップは、対応する
グレースケール値を有するピクセル・アレイを備える、前記ステップと；
ブーリアン値を有するピクセル・アレイを備えるブーリアン型ピクセル・マップを生成するステップであって、１のブーリアン値は、０でないグレースケールを有するグレースケールのピクセル・マップ内の対応するピクセルを示し、０のブーリアン値は、０のグレースケール値を有するグレースケールのピクセル・マップ内の対応するピクセルを示す、前記ステップと；
各々が潜在的角形ピクセルにセンタリングされた前記ブーリアン型ピクセル・マップ内の一以上のピクセル・アレイを、凸状角および凹状角の両方に対応する複数のテンプレートと同時に比較することにより、前記グレースケールのピクセル・マップ内で角形ピクセルを検出するステップと；
検出された角形ピクセルと、検出された角形ピクセルに隣接するピクセルのうち少なくとも一つのグレースケール値を調整するステップと；
を備える、前記方法。
【請求項１０】
各々が潜在的角形ピクセルにセンタリングされた前記ブーリアン型ピクセル・マップ内の一以上のピクセル・アレイを、凸状角および凹状角の両方に対応する複数のテンプレートと同時に比較するステップは、各々が潜在的角形ピクセルにセンタリングされた前記ブーリアン型ピクセル・マップ内の複数のピクセル・アレイを、凸状角および凹状角の両方に対応する複数のテンプレートと比較する為にハードウェアを利用する工程を備える、請求項９に記載の方法。
【請求項１１】
各々が潜在的角形ピクセルにセンタリングされた前記ブーリアン型ピクセル・マップ内の一以上のピクセル・アレイを、凸状角および凹状角の両方に対応する複数のテンプレートと同時に比較するステップは、各々が潜在的角形ピクセルにセンタリングされた前記ブーリアン型ピクセル・マップ内の複数の異なるピクセル・アレイを、複数の異なるクロックサイクルの各々に対して、凸状角および凹状角の両方に対応する複数のテンプレートと比較する為にハードウェアを利用する工程を備える、請求項１０に記載の方法。
【請求項１２】
抵抗面にパターンを書き込む為のシステムであって：
前記パターンの画像に対するデータファイルからグレースケールのピクセル・マップを生成するように構成されたラスタライザーであって、前記グレースケール・マップは、対応するグレースケール値を有するピクセル・アレイを備える、前記ラスタライザーと；
前記グレースケールのピクセル・マップ内の対応するピクセルのグレースケール値に依存して、０か１のブーリアン値を有するピクセル・アレイを備えるブーリアン型ピクセル・マップを生成する為の論理回路と；
前記ブーリアン型ピクセル・マップ内のピクセル・アレイを、角に対応するピクセルの角用テンプレートと比較することにより、グレースケールのピクセル・マップ内で角形ピクセルを検出するように構成された角検出ユニットと；
角形ピクセルと、角形ピクセルに隣接するピクセルのうち少なくとも一つのグレースケールのピクセル・マップ内でグレースケール値を調整するように構成された角補正ユニットと；
を備える、前記システム。
【請求項１３】
前記角検出ユニットは、角形ピクセルと、角形ピクセルに隣接するピクセルのうち少なくとも一つを：
前記グレースケール・ピクセル・マップ内の凸状角形ピクセルのグレースケール値と第１補正係数の和を計算すること；
計算された和が最大のグレースケール値以下である場合、前記第１補正係数だけ前記凸状角形ピクセルのグレースケール値を増加し、他の場合には、前記最大量に前記凸状角形ピクセルのグレースケール値を設定し、計算された和の残分を１以上の隣接ピクセルに普及させること；
により、調整するように構成されている、請求項１２に記載のシステム。
【請求項１４】
前記角検出ユニットは、角形ピクセルと、角形ピクセルに隣接するピクセルのうち少なくとも一つを：
前記グレースケール・ピクセル・マップ内の凹状角形ピクセルのグレースケール値から第２補正係数を減算することにより差を計算すること；
計算された差が最小のグレースケール値以下である場合、前記第２補正係数だけ前記凹状角型ピクセルのグレースケール値を減少させ、他の場合には、前記最小のグレースケール値に前記凹状角形ピクセルのグレースケール値を設定し、計算された差の残分だけ、１以上の隣接ピクセルのグレースケール値を減少させること；
により、調整するように構成されている、請求項１３に記載のシステム。
【請求項１５】
ユーザに前記第１補正係数と第２補正係数を独立して調整することを許容するグラフィカルユーザインターフェースを更に備える、請求項１４に記載のシステム。